(57)【要約】【課題】軽量、小型の双眼鏡は従来いろいろなタイプが考えられているが、各々に一長一短があり、小型化に限界があったり、性能値が犠牲になったり、又、操作性、コスト面等で、不充分になっているものが多い。【解決手段】前述した問題を解決する為に、本発明の双眼鏡は、薄型小型化が可能なダハプリズムタイプを使用し、その配置に工夫を凝らし、小型化を達成すると同時に、半断面構造に形成されたボデー部材に、光学的部品を並べる事で成立させ、上面よりカバー部材をかぶせることにより小型双眼鏡を構成するものである。【選択図】図６
2009069353.tif 000002
【特許請求の範囲】
【請求項１】
望遠光学系を有する左右の鏡体を、左右を接続する軸を中心に回転方向に眼幅（左右の光
学系の距離）調整を行なう一軸タイプの双眼鏡において、軽量、小型化を特徴とする双眼
鏡。
【請求項２】
前記請求項１の双眼鏡は、ダハプリズムを使用する事により厚さ方向を薄くする事を可能
とし、ダハプリズムと補助プリズムの間隔を離す事により、全長を短くする事を特徴とす
る双眼鏡。
【請求項３】
前記請求項２の双眼鏡は、光軸を通る平面で分割された左右の鏡体と左右のカバーにより
構成され、対物レンズ、プリズム、接眼レンズの各光学系を、光軸に垂直な方向から組み
込むことを可能とした構造を特徴とする双眼鏡。  
【発明の詳細な説明】
【技術分野】
【０００１】
本発明は、小型軽量の双眼鏡に関するものである。
【背景技術】
【０００２】
従来、双眼鏡を使用者の眼幅に合わせる為、左右の鏡体の間に設けられた支軸を中心に鏡
体を回動して眼幅を合わせる回動タイプと、光軸に直角方向に鏡体を平行移動して眼幅を
合わせるスライドタイプが用いられている。（特許文献１参照）
【０００３】
前者は一般的に多く採用されている方法であるが、小型軽量化が困難であるという問題が
あった。後者は小型軽量化が可能であるものの、作動部分の精度、外部応力に対する剛性
度に問題があった。前者の問題を解決する為に軸を二箇所に設け折り畳む二軸双眼鏡が考
えられた。（特許文献２参照）。
【０００４】
しかし、二軸双眼鏡においても光学系を光軸方向から組み込む事から、厚さ方向には薄く
する事に限界があった。また、光学系を直列に配置する為、全長方向は短くする事が不可
能であった。
【特許文献１】特開平１０−１０４０９
【特許文献２】特開Ｓ５２−１４９１３７
【発明の開示】
【発明が解決しようとする課題】
【０００５】
双眼鏡をシャツの胸ポケット等に収納し、常時携帯する事により身近に使用できる小型軽
量な双眼鏡を、ダハプリズムを用いて実現する。
【０００６】
コンパクトな光学配置になるが、直線的に配置する為に全長が長くなってしまうダハプリ
ズム光学系を、配置の工夫により全長を短くする。
【課題を解決するための手段】
【０００７】
前述した問題を解決する為に本発明の双眼鏡は、ダハプリズムと補助プリズムの間隔を大
きく取り、対物の光軸と接眼の光軸をずらす事により全長を短くする構造とした。
【０００８】
また本発明の双眼鏡は、プリズムを光軸に対して垂直方向から組み込む構造にする事によ
り、組み立て易く、又、厚さ方向を薄くすることを可能とした。
【発明の効果】
【０００９】
本発明の双眼鏡は、全ての光学系を光軸に対して垂直な方向から組み込む事により、組み
込み作業が簡略化され、左右の視度差の調整や，光軸の調整等も容易に行なうことが可能
となった。
【００１０】
薄く、全長も短い双眼鏡を提供できる為、小さなバッグやシャツのポケット等にも容易に
収納でき、持ち運びし易く使用機会が広くなる。
【発明を実施するための最良の形態】
【００１１】
以下、本発明による一つの実施形態を図面に基づいて詳細に説明する。図1は、本発明の
双眼鏡の全体斜視図であり、図２は上下横正面から見た図である。図３、図４は使用者の
眼幅に合わせた時の双眼鏡の状態を表している。
【００１２】
図５は、光軸面での断面図であり、図６はカバーを外した状態の内部部品の構造を表して
いる。図５で表しているようにダハプリズム（Ｇ４）と補助プリズム（Ｇ３）は、プリズ
ム枠（７）の中で離れて配置され、図５の右側で示すように対物の入光軸（Ａ）と接眼の
出光軸（Ｂ）をずらし全長を短くしている。
【００１３】
図5に示すように、右鏡体（１）と左鏡体（２）は基軸Ａ（１３）と基軸Ｂ（１４）で結
合され基軸Ａ（１３）及び基軸Ｂ（１４）の軸を中心に左右の鏡体が回動する。対物レン
ズ（Ｇ１、Ｇ２）は対物レンズ枠（３）に収納され、移動筒右（５）又は移動筒左（６）
を介してリード軸（１５）に連結される。リード軸（１５）は基軸Ａ（１３）基軸Ｂ（１
４）と同じ軸上に位置し、転輪（１２）を回転する事により、移動筒右（５）及び移動筒
左（６）を前後に繰出し、繰り入れする。
【００１４】
プリズム組（Ａ７）は、プリズム枠（７）と、ダハプリズム（Ｇ４）、補助プリズム（Ｇ３）で構成され、鏡筒右（１）及び鏡筒左（２）にセットされ、なべビス（２３）で固定される。
【００１５】
図７で表すように、対物レンズ組（Ａ４）は、対物レンズ凸（Ｇ１）、対物レンズ凹（Ｇ２）、対物レンズ枠（３）、対物レンズ押え環（４）で構成され、移動筒右（５）に組み込まれる。同様に移動筒左（６）にも組み込まれる。移動筒右（５）の対物調整窓（５−１）の窓からレンズ枠溝（３−１）を見ることが出来る。レンズ枠溝（３−１）は円周方向６等分に配置されており、対物調整窓（５−１）からレンズ枠溝（３−１）を利用して回転方向に回すことが出来る。移動筒右（５）にねじ込まれた対物レンズ組（Ａ４）が、回転しながら移動筒右（５）のネジに添って光軸方向に前後するので、左右の視度差を調整する事が出来る。
【００１６】
接眼開玉凹（Ｇ５）接眼開玉凸（Ｇ６）接眼元玉（Ｇ７）を内包した接眼枠（９）には、
右鏡体（１）及び左鏡体（２）の溝に嵌合する段を持っており挿入される。接眼組（Ａ９）と右鏡体（１）及び左鏡体（２）との間には隙間があり、光軸の調整の為、接眼組（Ａ９）を前後左右にスライドする事により、左右の光軸を一致させることが出来る。又、説明した各構造は左右対称形構造となっている。
【図面の簡単な説明】
【００１７】
【図１】双眼鏡全体の斜視図
【図２】上、下、横、正面より見た図
【図３】使用状態（眼幅を使用者に合わせた時）の斜視図
【図４】使用状態（眼幅を使用者に合わせた時）の上方から見た図
【図５】双眼鏡の光軸面の断面図
【図６】カバーを外した状態の斜視図
【図７】対物部構成図
【符号の説明】
【００１８】
１      右鏡体
２      左鏡体
３      対物レンズ枠
３−１  レンズ枠溝
４      対物レンズ押え環
５      移動筒右
５−１  対物調整窓
６      移動筒左
７      プリズム枠
９      接眼筒
１０    視界
１１    接眼間隔環
１２    転輪
１３    基軸Ａ
１４    基軸Ｂ
１５    リード軸
１６    見口
１７    接眼リング
２０    基軸蓋
２１    右鏡体カバー
２２    左鏡体カバー
２３    なべビス
Ｇ１    対物レンズ凸
Ｇ２    対物レンズ凹
Ｇ３    補助プリズム
Ｇ４    ダハプリズム
Ｇ５    接眼開玉凹
Ｇ６    接眼開玉凸
Ｇ７    接眼元玉
Ａ４    対物レンズ組
Ａ９    接眼組
Ａ７    プリズム組
Ａ      対物の入光軸
Ｂ      接眼の出光軸    
【図１】
2009069353.tif 000003
【図２】
2009069353.tif 000004
【図３】
2009069353.tif 000005
【図４】
2009069353.tif 000006
【図５】
2009069353.tif 000007
【図６】
2009069353.tif 000008
【図７】
2009069353.tif 000009